(57)【要約】【課題】テレビ受信システムを用いて受信される番組を、受信装置に接続されたモニタＴＶの設置場所から離れた場所で視聴することができると共に、録画された番組を受信装置に接続されたモニタＴＶの設置場所から離れた場所で視聴することができるテレビ受信システム、テレビ受信装置及び携帯端末を提供する。【解決手段】ＩＲＤ装置１にはハードディスク２とＭＰＥＧエンコーダ３とＩＤデータメモリ４が設けられ、ハードディスク２は、正規に再生されたテレビ放送番組のデータを記録し得るもので、ＭＰＥＧエンコーダ３は、ハードディスク２から読み出された録画データまたはリアルタイムに再生されたテレビ番組データの信号形式をＭＰＥＧ４規格に対応する信号変換を行う。ＩＤデータメモリ４は、通信部を介してＩＲＤ装置１に対して行う制御を許容する通信端末６の電話番号と画像表示部の形式のデータが予め格納されている。このメモリ格納データに基づいてディスプレイ７の表示が制御される。【選択図】　　　図１
2004096394.tif 000002
【特許請求の範囲】
【請求項１】
テレビ放送信号を受信し、再生して出力若しくは録画処理するテレビ受信装置と、
前記テレビ受信装置と通信回線を介して接続される携帯端末と、
からなるテレビ受信システムであって、
前記テレビ受信装置は、
前記携帯端末と通信回線を介して接続される通信部と、
前記携帯端末に送信する画質を判定する画質判定部と、
前記画質判定部の判定結果に基づいて受信中若しくは録画されたテレビ放送を符号化する符号化部と、
前記符号化部で符号化されたテレビ放送信号を前記通信手段を介して送信する送信部と、
を備え、
前記携帯端末は、
テレビ放送信号の送信を要求する送信要求部と、
前記画質判定部で判定される画質情報を送信する画質情報送信部と、
前記テレビ受信装置から受信した符合化されたテレビ放送信号を復号化する復号化部と、
前記復号化部で復号化されたテレビ放送信号を表示する表示部と、
を備え、
前記テレビ受信装置は、前記通信回線を介して接続された携帯端末からのテレビ放送信号の送信要求に基づいて、前記携帯端末から受信した画質情報によって送信する画質を判定し、判定された画質に基づいて受信したテレビ放送信号を符号化して前記携帯端末に送信し、
前記携帯端末は、前記テレビ受信装置から受信した符号化されたテレビ放送信号を復号化して表示する、
ことを特徴とするテレビ受信システム。
【請求項２】
前記携帯端末の画像情報送信部から送信される画質情報は、前記テレビ受信装置と通信回線を介して接続されたときに送信される電話番号、若しくは、当該携帯端末を特定するために入力されるＩＤデータであり、
前記テレビ受信装置は、
前記携帯端末とその表示部の表示能力の対応を示す携帯端末表示部対応テーブルを備え、
前記携帯端末と通信回線を介して接続されたときに得られる電話番号、若しくは、前記携帯端末から送信されるＩＤデータと、前記携帯端末表示部対応テーブルから前記携帯端末の表示能力を特定し、前記画質判定部は、特定された表示能力に基づいて前記携帯端末に送信する画質を自動で判定する、
ことを特徴とする請求項１に記載のテレビ受信システム。
【請求項３】
テレビ放送を受信し、再生して出力若しくは録画処理するテレビ受信装置であって、
前記携帯端末と通信回線を介して接続される通信部と、
前記携帯端末に送信する画質を判定する画質判定部と、
前記画質判定部の判定結果に基づいて受信中若しくは録画されたテレビ放送信号を符号化する符号化部と、
前記符号化部で符号化されたテレビ放送信号を前記通信手段を介して送信する送信部と、
を備え、
前記通信回線を介して接続された携帯端末からのテレビ放送信号の送信要求に基づいて、前記携帯端末から受信した画質情報によって送信する画質を判定し、判定された画質に基づいて受信したテレビ放送信号を符号化して前記携帯端末に送信する、
ことを特徴とするテレビ受信装置。
【請求項４】
前記携帯端末とその表示部の表示能力の対応を示す携帯端末表示部対応テーブルを備え、
前記携帯端末と通信回線を介して接続されたときに得られる電話番号、若しくは、前記携帯端末から送信されるＩＤデータと、前記携帯端末表示部対応テーブルから前記携帯端末の表示能力を特定し、前記画質判定部は、特定された表示能力に基づいて前記携帯端末に送信する画質を自動で判定する、
ことを特徴とする請求項３に記載のテレビ受信装置。
【請求項５】
テレビ受信装置と通信回線を介して接続される携帯端末であって、
テレビ受信装置に対してテレビ放送信号の送信を要求する送信要求部と、
画質情報を送信する画質情報送信部と、
テレビ受信装置から受信した符号化されたテレビ放送信号を復号化する復号化部と、
前記復号化部で復号化されたテレビ放送信号を表示する表示部と、
を備える
ことを特徴とする携帯端末。
【請求項６】
前記携帯端末の画像情報送信部から送信される画質情報は、
前記テレビ受信装置と通信回線を介して接続されたときに送信される電話番号、若しくは、当該携帯端末を特定するために入力されるＩＤデータである、
ことを特徴とする請求項５に記載の携帯端末。
【発明の詳細な説明】
【０００１】
【発明の属する技術分野】
本発明は、テレビ放送を受信して再生するテレビ受信システム、テレビ受信装置及び携帯端末に関する。
【０００２】
【従来の技術】
一般に、同軸ケーブルまたは光ケーブル等で形成される有線伝送線路、衛星波や地上波等の無線伝送線路を用いて行われるテレビジョン放送は、これまで、アナログの映像信号をＡＭ変調すると共に音声信号をＦＭ変調した信号を所定の搬送周波数で送信するアナログ放送番組が主流であったが、近年になってアナログの映像信号と音声信号をデジタル化し、さらにデジタル圧縮した後のデータをＱＰＳＫ変調またはＱＡＭ変調等の変調方式を用いてデジタル変調し、この信号をＯＦＤＭ方式等のデジタル伝送方式を用いて送信するデジタル放送が開始された。
【０００３】
このデジタル放送は、半導体技術、画像と音声の信号圧縮技術の著しい進歩によって可能となったものであり、従前のアナログ放送に比べて、同一の伝送路の有する周波数帯域の範囲内に、より多くの番組プログラムを放送することが可能となり、またＯＦＤＭ方式等のデジタル伝送方式が採用されることによって、伝送信号劣化の少ない高品位な放送が行える等の多くの利点を有している。
【０００４】
かかる放送サービスは、その伝送路が、地上波伝送、衛星波伝送、ケーブル伝送等のように多種の伝送形態でもってサービス提供を行うことができ、当該のテレビ放送番組の信号に、ユーザーＩＤ情報と課金情報を含ませて有料テレビ番組放送の信号として送信し、これをユーザーが受信するときに、受信信号に含まれるユーザーＩＤ情報と課金情報に基づく認証を行い、全ての条件を満たしたときに有料テレビ番組の映像および／または音声を正規に再現させ得るＩＲＤシステムが広く普及している。
【０００５】
上記ＩＲＤシステムの具体的な構成は、例えば図６に示すように、ＩＲＤ装置１３にモニタＴＶ１４と受信アンテナ１５を接続して構成され、ＩＲＤ装置１３のユーザーから申し込まれた視聴チャンネルや視聴を希望する特定番組のデータでなる多種多様のユーザー情報に基づいて送信信号を生成するサービスセンター１６から放送衛星１７に向けて放送用信号を送信し、この放送用信号を受けた放送衛星１７から放送電波を地上に向かって送信するように全体システムが構成される。
【０００６】
そして、放送電波を受信アンテナ１５で受け、その信号に対して所定の復号処理を施してビデオ信号に変換し、モニタＴＶ１４に映像再生すると同時に、図示しない音響装置によって音声再生を行っている。
【０００７】
この場合、放送衛星１７から送信される放送電波は、所定のアルゴリズムに基づく暗号化（スクランブル変調）が掛けられた信号とされ、テレビ放送番組の信号に、ユーザーＩＤ情報と課金情報を含ませて送信された有料テレビ番組放送の信号とされていて、そのままの状態で受信したときには正規の映像と音声が再現できない状態とされ、ＩＲＤ装置１３による認証、即ち、送信電波に含まれるユーザーＩＤ情報と課金情報を受信して得られた情報に基づいて行われる課金期間の参照、課金チャンネルの参照、機器ＩＤが正規に登録されたものであるかの参照等々の制限条件が全て満たされたときに当該の暗号化が解除されて正規の映像と音声を再現させることができる。
【０００８】
従って、ＩＲＤシステムのユーザーは特定のチャンネルもしくは特定番組に対して課金許容の登録を電話回線等を用いてサービスセンター１６に連絡することによって好みの番組を視聴することができ、その視聴は、予め定められた放送予定日時に一義的に行われるようになっている。
【０００９】
【発明が解決しようとする課題】
従来のテレビ受信システムのテレビ番組の視聴は、家庭等に固定的に設置されたモニタＴＶを用いて行われることが一般的であって、当該モニタＴＶが設置されている場所以外の所での視聴はできない現状である。
【００１０】
そこで、本発明の目的は、テレビ受信システムを用いて受信される番組を、受信装置に接続されたモニタＴＶの設置場所から離れた場所で視聴することができると共に、録画された番組を受信装置に接続されたモニタＴＶの設置場所から離れた場所で視聴することができるテレビ受信システム、テレビ受信装置及び携帯端末を提供することにある。
【００１１】
【課題を解決するための手段】
前記課題を解決するために、本発明によるテレビ受信システム、テレビ受信装置及び携帯端末は、次に記載するような特徴的な構成を採用している。
【００１２】
（１）テレビ放送信号を受信し、再生して出力若しくは録画処理するテレビ受信装置と、
前記テレビ受信装置と通信回線を介して接続される携帯端末と、
からなるテレビ受信システムであって、
前記テレビ受信装置は、
前記携帯端末と通信回線を介して接続される通信部と、
前記携帯端末に送信する画質を判定する画質判定部と、
前記画質判定部の判定結果に基づいて受信中若しくは録画されたテレビ放送を符号化する符号化部と、
前記符号化部で符号化されたテレビ放送信号を前記通信手段を介して送信する送信部と、
を備え、
前記携帯端末は、
テレビ放送信号の送信を要求する送信要求部と、
前記画質判定部で判定される画質情報を送信する画質情報送信部と、
前記テレビ受信装置から受信した符合化されたテレビ放送信号を復号化する復号化部と、
前記復号化部で復号化されたテレビ放送信号を表示する表示部と、
を備え、
前記テレビ受信装置は、前記通信回線を介して接続された携帯端末からのテレビ放送信号の送信要求に基づいて、前記携帯端末から受信した画質情報によって送信する画質を判定し、判定された画質に基づいて受信したテレビ放送信号を符号化して前記携帯端末に送信し、
前記携帯端末は、前記テレビ受信装置から受信した符号化されたテレビ放送信号を復号化して表示するテレビ受信システム。
【００１３】
（２）前記携帯端末の画像情報送信部から送信される画質情報は、前記テレビ受信装置と通信回線を介して接続されたときに送信される電話番号、若しくは、当該携帯端末を特定するために入力されるＩＤデータであり、
前記テレビ受信装置は、
前記携帯端末とその表示部の表示能力の対応を示す携帯端末表示部対応テーブルを備え、
前記携帯端末と通信回線を介して接続されたときに得られる電話番号、若しくは、前記携帯端末から送信されるＩＤデータと、前記携帯端末表示部対応テーブルから前記携帯端末の表示能力を特定し、前記画質判定部は、特定された表示能力に基づいて前記携帯端末に送信する画質を自動で判定する上記（１）のテレビ受信システム。
【００１４】
（３）テレビ放送を受信し、再生して出力若しくは録画処理するテレビ受信装置であって、
前記携帯端末と通信回線を介して接続される通信部と、
前記携帯端末に送信する画質を判定する画質判定部と、
前記画質判定部の判定結果に基づいて受信中若しくは録画されたテレビ放送信号を符号化する符号化部と、
前記符号化部で符号化されたテレビ放送信号を前記通信手段を介して送信する送信部と、
を備え、
前記通信回線を介して接続された携帯端末からのテレビ放送信号の送信要求に基づいて、前記携帯端末から受信した画質情報によって送信する画質を判定し、判定された画質に基づいて受信したテレビ放送信号を符号化して前記携帯端末に送信するテレビ受信装置。
【００１５】
（４）前記携帯端末とその表示部の表示能力の対応を示す携帯端末表示部対応テーブルを備え、
前記携帯端末と通信回線を介して接続されたときに得られる電話番号、若しくは、前記携帯端末から送信されるＩＤデータと、前記携帯端末表示部対応テーブルから前記携帯端末の表示能力を特定し、前記画質判定部は、特定された表示能力に基づいて前記携帯端末に送信する画質を自動で判定する上記（３）のテレビ受信装置。
【００１６】
（５）テレビ受信装置と通信回線を介して接続される携帯端末であって、
テレビ受信装置に対してテレビ放送信号の送信を要求する送信要求部と、
画質情報を送信する画質情報送信部と、
テレビ受信装置から受信した符号化されたテレビ放送信号を復号化する復号化部と、
前記復号化部で復号化されたテレビ放送信号を表示する表示部とを備える携帯端末。
【００１７】
（６）前記携帯端末の画像情報送信部から送信される画質情報は、
前記テレビ受信装置と通信回線を介して接続されたときに送信される電話番号、若しくは、当該携帯端末を特定するために入力されるＩＤデータである上記（５）の携帯端末。
【００１８】
【発明の実施の形態】
以下、本発明の実施の形態について図面を用いて詳細に説明する。先ず、テレビ受信システムとしてのＩＲＤシステム及びテレビ受信装置の構成を図１を用いて説明する。
【００１９】
ＩＲＤシステム及び画像転送装置の全体構成と画面表示の状態を合わせて表現した図１において、ＩＲＤ装置１は、所定のアルゴリズムで暗号化されたテレビ放送番組の信号に、ユーザーＩＤ情報と課金情報を重畳して形成された送信信号を受信アンテナ５を用いて受信し、ユーザー機器情報と受信された信号に含まれるユーザーＩＤ情報と課金情報を比較してユーザー認証を行い、所定条件を満たしたときに前記暗号化されたテレビ放送番組の信号の解読を許容してテレビ放送番組を正規に再現させ得るような制御を行い得るように構成されている。
【００２０】
ＩＲＤ装置１にはハードディスク２とＭＰＥＧ４エンコーダ３とＩＤデータメモリ４が設けられ、ハードディスク２は、正規に再生されたテレビ放送番組のデータを記録し得るもので、ＭＰＥＧ４エンコーダ３は、ハードディスク２から読み出された録画データまたはリアルタイムに再生されたテレビ番組データの信号形式をＭＰＥＧ４規格に対応する信号変換を行うものである。
【００２１】
ＩＲＤ装置１には、図示せずも通信部、判定部、録画情報配信部とＩＤデータメモリ４が設けられ、通信部は、通信端末６からＩＲＤ装置１を制御し得るように形成され、通信部を介してＩＲＤ装置１に対して行う制御を許容する通信端末６の電話番号と画像表示部の形式のデータが予め格納されたＩＤデータメモリ４が設けられている。
【００２２】
また、通信部に着信された通信端末６の有するＩＤデータとＩＤデータメモリ４の格納データとを比較し、ＩＲＤ装置１に対する制御の許容／拒否を判定するように判定部が構成され、判定部による判定でＩＲＤ装置１に対する制御が許容されたときに、ハードディスク２に既に記録されているテレビ放送番組を当該通信端末６の有するディスプレイ７の形式に適合する信号形式で配信し得るように制御する録画情報配信部が設けられ、携帯端末６とＩＲＤ装置１とを信号接続する制御信号伝送路には、図示しない交換無線局が介在されている。
【００２３】
ＩＲＤ装置１に接続された受信アンテナ５は、放送衛星（不図示）から送信される放送電波を受信するものである。
【００２４】
携帯端末６に設けられたディスプレイ７の下部にはテンキーとモードキー等でなる操作キー部８が設けられ、操作キー部８のいずれかの操作釦を押操作することによって多種多様な動作指令を与えることができるように構成される。
【００２５】
以上のように要部が構成された本形態のＩＲＤシステムの画像転送装置における動作を図２乃至図４に示すフローチャートを用いて説明する。なお、各フローチャートにおいて破線で囲った左列部分が携帯端末６の側の処理動作ステップを表わし、破線で囲った右列部分がＩＲＤ装置１の側の処理動作ステップを表わす。これらの左列部分と右列部分を結ぶ図中の動作ラインは、携帯端末６から携帯電話回線を通じて交換無線局に対するデータ信号送受を行い、かつ交換無線局からＩＲＤ装置１に対して中継回線を介してデータ信号送受を行うデータ信号送受系統である。
【００２６】
携帯端末６からＩＲＤ装置１に対する発信が開始されると、先ず図２に示すフローチャートのステップＳ１が実行され、携帯端末６のディスプレイ７に表示される電話番号画面７を見ながら操作キー部８の有するテンキーを押操作することによって指定された電話番号、即ちＩＲＤ装置１に割り当てられた電話番号へのダイアリングが開始され、その呼出データが携帯電話回線を介して交換無線局に送信される。
【００２７】
交換無線局で受信された呼出データは、有線電話回線でなる中継回線を介してＩＲＤ装置１に対する呼び出しが行われ、待ち受け待機状態にされているＩＲＤ装置１でステップＳ２が実行され、呼び出し有り？の判定がなされ、呼び出し有りの場合にはステップＳ３に進み回線が確立される。
【００２８】
このステップＳ３の動作と同時的に携帯端末６の側でステップＳ４が実行され、回線が確立されているか否かが判定され、Ｎｏの場合にはステップＳ１が再実行され、ＹｅｓになったときにステップＳ５に進む。
【００２９】
ＩＲＤ装置１側で回線確立（ステップＳ３）されると次のステップＳ６に進み、携帯端末６側にＩＤデータの入力を要求する信号を送信し、これを受信した携帯端末６は、ステップＳ５にてＩＤ入力とそのデータをＩＲＤ装置１に送信する動作が開始される。具体的には、携帯端末６のディスプレイ７に表示されるＩＤ入力要求画面７−１を見ながら操作キー部８を押操作することによって当該機器に予め設定されたＩＤデータ（例えば５桁の数字）の入力を行うことができる。
【００３０】
ステップＳ５が完了するとＩＤデータがＩＲＤ装置１側に送信され、ステップＳ７にてＩＤデータの検出がなされ、ＩＤデータ無しの場合（Ｎｏの場合）には、ステップＳ６が再実行され、ＩＤデータ有りの場合（Ｙｅｓの場合）にはステップＳ８に進み、受信されたＩＤデータがＩＲＤ装置１のＩＤデータメモリ４に格納されたＩＤリストに該当有り？の判定がなされ、該当がある場合（Ｙｅｓの場合）には、次のステップＳ９に進み、該当が無い場合（Ｎｏの場合）には、ステップＳ１０に進み、ＩＲＤ装置１に予め格納されている対応機種の一覧データを携帯端末６に送信する。尚この場合、ＩＤリストに該当がなければ処理を終了するようにして許可された者以外による不正使用を防止することができる。
【００３１】
さて、携帯端末６側でステップＳ５が実行された後に実行されるステップＳ１１は、テンキー８を用いて行われるＩＤ番号の入力が完了したか否かを判定するもので、未入力の場合（Ｎｏの場合）にはステップＳ５に戻され、完了した場合（Ｙｅｓの場合）に次のステップＳ１２に進む。ステップＳ１２は、携帯端末６の機種名が入力されたか否かを判定するもので入力されている場合（Ｙｅｓの場合）には次のステップＳ１３に進み、ＩＲＤ装置１側のステップＳ１０で既に送信されている機種名リストを受信し次のステップＳ１４に進む。
【００３２】
ステップＳ１４は、携帯端末６のディスプレイ７に表示される対応機種リスト画面７−２を見ながら操作キー部８を押操作することによって該当機器を選択して特定するもので、その選択機種名データがＩＲＤ装置１側に送信されステップＳ１５にて受信されてステップＳ９に進む。
【００３３】
ステップＳ９は、ステップＳ１５にて受信された機種名もしくはステップＳ８にてＩＤリストに該当ありと判断された機種名に基づいて携帯端末６のディスプレイ７に表示される画面サイズを決定するものである。
【００３４】
そして、ステップＳ１２にてＮｏと判定された場合には、図面作成の都合上で形成された中継点（Ａ）を介して図３のステップＳ１６に進み、一方、ステップＳ９が実行された後には中継点（Ｂ）を介して図３のステップＳ１７に進む。
【００３５】
携帯端末６側の処理であるステップＳ１６は、放送衛星からのテレビ番組を転送希望するのであるか、ハードディスク２に録画されているテレビ番組を転送希望するかの別を判断するもので、具体的には、携帯端末６のディスプレイ７に表示される再生元選択画面７−３を見ながら操作キー部８を押操作することによっていずれかを選択して特定するものである。
【００３６】
一方、ＩＲＤ装置１の側で実行されるステップＳ１７は、放送衛星からのテレビ番組を転送希望するのであるか、ハードディスク２に録画されているテレビ番組を転送希望するかの別を特定して欲しい旨の要求を携帯端末６側に送信するものであり、その次に実行されるステップＳ１８は、放送衛星からのテレビ番組をリアルタイムに転送希望するのであるか、ハードディスク２に録画されているテレビ番組のコンテンツを転送希望するかの別を特定して欲しい旨の要求を携帯端末６側に送信するものである。
【００３７】
ステップＳ１２でＮｏの場合、ステップＳ１７による選択要求の送信、ステップＳ１８によるリアルタイム転送とコンテンツ転送の選択要求の送信との３種の状態をステップＳ１６で判定しＨＤ転送の場合には、ステップＳ１９に進みＨＤコンテンツリストの受信がなされ、次のステップＳ２０に進んでＨＤコンテンツリストの中から転送希望のものを選択し、具体的には、携帯端末６のディスプレイ７に表示される番組選択画面７−４を見ながら操作キー部８を押操作することによっていずれかを選択して特定するものである。
【００３８】
ステップＳ２０で選択された転送希望のものは、ＩＲＤ装置１側に送信され、これをステップＳ２１にて受信したＩＲＤ装置１の側では、ステップＳ２２によって衛星放送／ＨＤ転送の判断がなされ、衛星放送と判定された場合には、ステップＳ２３に進んでリスト送信がなされ次のステップＳ２４で選択受信がなされ次のステップＳ２５で転送決定がなされる。
【００３９】
ステップＳ２２でＨＤ転送と判定された場合にはステップＳ２６に進んでＨＤコンテンツリストの送信がなされ、次のステップＳ２７で選択コンテンツの受信がなされ、ステップＳ２８に進んで前述のステップＳ２５による転送決定のデータに基づく転送画像が決定される。これらの決定に至るまでの選択は携帯端末６のディスプレイ７に表示される番組選択画面７−４と番組内容画面７−５を見ながら行なうことができる。
【００４０】
一方、携帯端末６側のステップＳ１６によって衛星放送と判定された場合には、ステップＳ２９に進んで放送受信のチャンネルリストを受信し、次のステップＳ３０でその中から希望するチャンネルが選択される。
【００４１】
そして、中継点（Ｃ）と（Ｄ）を介して図４に示すフローチャートに移行し、先ず、ＩＲＤ装置１側のステップＳ３１にて携帯端末６に対して画質選択を要求する旨のデータを送信し、これを携帯端末６側のステップＳ３２で受信し次のステップＳ３３で画質選択が行われ、具体的には、携帯端末６のディスプレイ７に表示される画質選択画面７−６を見ながら操作キー部８を押操作することによって「ＬＯＷ，ＮＯＲＭ，ＨＩＧＨ」のいずれかを選択して特定するものである。
【００４２】
ステップＳ３３で画質選択されたデータは、ＩＲＤ装置１のステップＳ３４によって受信されステップＳ３５で画質決定され、ステップＳ３６で決定された画質に基づいて画像のエンコードがＭＰＥＧ４エンコーダ３によってなされた後に、ステップＳ３７に進み、携帯端末６側への画像転送がなされ携帯端末６側のステップＳ３８によって転送待ち状態とされ次のステップＳ３９でデータ受信完了？の判定がなされ、転送完了でない場合（Ｎｏの場合）にはステップＳ３８が再実行され、ステップＳ３９によって転送完了と判定された場合（Ｙｅｓの場合）にステップＳ４０に進む。尚、ＩＤや携帯端末６の機種名から表示画面の表示能力を一義的に判断し、自動で画質が選定されるようにしても良い。この場合、ステップＳ３１〜Ｓ３４の処理を省略することができる。
【００４３】
ステップＳ４０は、転送された画像データによって携帯端末６のディスプレイ７に番組内容を表示させると共に、当該の画像データを携帯端末６の有するメモリに蓄積するものであり、このようにして一連の画像転送動作が完了する。
【００４４】
今まで説明した形態は、携帯端末６のディスプレイ７に転送画像を表示する例であるが、本発明はこれに限定されること無く、例えば図５に示すように携帯端末６に設けられたビデオ出力端子からの出力を有線伝送路ｄを介してカーテレビ１０のビデオ入力端子に接続することによって大きなテレビ画面１１によって転送されたデータを視聴することができ、携帯端末６の側からＩＲＤ装置１を制御するに必要な操作キー部８に変えてカーテレビ１０に設けられた操作釦部１２を使用することができ、操作キー部８と操作釦部１２の両方を制御指令のために用いることもできる。
【００４５】
なお、以上の各形態のＩＲＤシステムにおける放映は、有料テレビ番組放送の信号が放送衛星から送信される例であるが、ＶＨＦやＵＨＦの地上波であったり、ケーブルＴＶシステムに見られるような同軸線や光伝送線等の有線伝送線路を用いて送信されるように構成してもよく、また、ＩＲＤ装置１に設けたハードディスク２に録画を行っているが、ＩＲＤ装置１に外付けもしくは内蔵のＶＴＲ装置を用いて記録を行ったり、光ディスク等の記録媒体に記録し得るＣＤ−Ｒ、ＣＤ−ＲＷ、ＤＶＤ−ＲＡＭ、ＤＶＤ−Ｒ、ＤＶＤ−ＲＷを用いた光ディスクドライブで構成してもよい。
【００４６】
また、ＩＲＤ装置１のＩＤデータメモリ４に格納された画像表示部の形式のデータは、前記通信端末の有する前記画像表示部の画素数に対応したデータで構成したり、通信端末の機種名に対応して構成してもよく、ＩＲＤ装置１の有する録画情報配信の機能部またはリアルタイム配信の機能部は、携帯端末６の有するＩＤデータに対応して配信画質を複数段階に変えた信号形式で配信し得るように構成してもよい。
【００４７】
さらに、ＩＲＤ装置１から配信される先は、無線回線を用いて転送される携帯端末６やカーテレビ１０であるが、配信されるテレビ番組は、有線回線を用いて通信端末に配信されるように構成してもよいことは勿論である。
【００４８】
以上、本発明によるテレビ受信システム、テレビ受信装置及び携帯端末は、テレビ受信システムの好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００４９】
【発明の効果】
以上の説明で明らかなように、本発明によるテレビ受信システム、テレビ受信装置及び携帯端末は、テレビ受信システムを用いて放映される番組を、ＩＲＤ装置に接続されたモニタＴＶの設置場所から離れた場所で視聴するに際して、リアルタイムに視聴することができると共に、既放送番組の視聴を放映日や放映時刻の後程に行うことができるという顕著な効果がある。
【図面の簡単な説明】
【図１】本発明の一実施の形態によるＩＲＤシステムの画像転送装置の全体構成と、携帯端末のディスプレイに表示される表示画面の変化を合わせて表現したブロック回路図である。
【図２】図１に示されるＩＲＤシステムの画像転送装置の前半部動作を説明するためのフローチャートである。
【図３】図１に示されるＩＲＤシステムの画像転送装置の中間部動作を説明するためのフローチャートである。
【図４】図１に示されるＩＲＤシステムの画像転送装置の後半部動作を説明するためのフローチャートである。
【図５】本発明の他実施の形態によるＩＲＤシステムの画像転送装置の概略構成を示すブロック回路図である。
【図６】従来の録画機能付ＩＲＤシステムの一例を示すブロック回路図である。
【符号の説明】
１　ＩＲＤ装置
２　ハードディスク
３　ＭＰＥＧ４エンコーダ
４　ＩＤデータメモリ
５　受信アンテナ
６　携帯端末
７　ディスプレイ
７−１　ＩＤ入力要求画面
７−２　対応機種リスト画面
７−３　再生元選択画面
７−４　番組選択画面
７−５　番組内容画面
７−６　画質選択画面
８　　操作キー部
９　　交換無線局
１０　　カーテレビ
１１　　テレビ画面
１２　　操作釦部
【図１】
2004096394.tif 000003
【図２】
2004096394.tif 000004
【図３】
2004096394.tif 000005
【図４】
2004096394.tif 000006
【図５】
2004096394.tif 000007
【図６】
2004096394.tif 000008